(57)【要約】【課題】踏板取付作業が簡単で、階段勾配の変化に容易に対応可能な階段を提供する。【解決手段】階段勾配で傾斜する桁１０と、この桁１０の傾斜上面に取り付けられた下ブラケット１１ａと、この下ブラケット１１ａの上面に取り付けられた上ブラケット１１ｂと、この上ブラケット１１ｂの水平上面に取り付けられた踏板１２とで構成する。【選択図】      図１１
2004169271.tif 000002
【特許請求の範囲】
【請求項１】
階段勾配で傾斜する桁と、この桁の傾斜上面に取り付けられた下ブラケットと、この下ブラケットの上面に取り付けられた上ブラケットと、この上ブラケットの水平上面に取り付けられた踏板と、を備える、
ことを特徴とする階段。
【請求項２】
前記下ブラケットの上面と前記上ブラケットの下面は水平に形成されていることを特徴とする請求項１に記載の階段。
【請求項３】
前記下ブラケットの上面に第一係止部が形成されているとともに、前記上ブラケットの下面には前記下ブラケットの第一係止部に係止する第二係止部が形成されていることを特徴とする請求項１または請求項２に記載の階段。
【請求項４】
階段勾配で傾斜する桁と、この桁の傾斜上面に取り付けられた下ブラケットと、この下ブラケットの上面に取り付けられた上ブラケットと、この上ブラケットの水平上面に取り付けられた踏板と、を備え、
前記下ブラケットの上面が側面視円弧状に形成されているとともに、前記上ブラケットの下面が前記下ブラケットの上面に合致するような側面視円弧状に形成されている、
ことを特徴とする階段。
【請求項５】
前記下ブラケットの上面に側面視所定角度刻みで周方向に連続する凹凸が形成されているとともに、前記上ブラケットの下面には前記下ブラケットの上面の凹凸に係止する凹凸が形成されていることを特徴とする請求項４に記載の階段。
【請求項６】
前記上ブラケットが断面中空多角形状の本体部と、この本体部の前後に突出する取付鍔部とを備え、この取付鍔部に前記踏板が取り付けられていることを特徴とする請求項１乃至請求項５のいずれか一項に記載の階段。
【請求項７】
前記下ブラケット及び上ブラケットがアルミニウム合金製の押出形材からなることを特徴とする請求項１乃至請求項６のいずれか一項に記載の階段。
【請求項８】
前記桁がアルミニウム合金製のフレーム材を含むトラス構造体からなることを特徴とする請求項１乃至請求項７のいずれか一項に記載の階段。
【請求項９】
階段勾配で傾斜するトラス構造体で踏板が支持された階段であって、
前記トラス構造体は、連結溝を外面に備える略円筒形状の節点部材を介して、前記連結溝に嵌合可能な接続端部を両端に有する複数本のフレーム材を互いに接続してなり、
前記節点部材は、その軸線方向が階段勾配方向と直交するように配置され、
上ワッシャと下ワッシャとで上下から取付面が挟み込まれたブラケットを前記節点部材の傾斜上面に取り付け、
前記上ワッシャの下面と前記下ワッシャの上面が前記階段勾配方向に対して傾斜することにより、前記ブラケットの上面を水平にした、
ことを特徴とする階段。
【発明の詳細な説明】
【０００１】
【発明の属する技術分野】
本発明は、階段に関する。
【０００２】
【従来の技術】
建物の内部や外部に設置される階段として、上下階を結んで階段勾配で傾斜する桁の傾斜上面に対してブラケットを取り付け、このブラケットの水平上面に踏板を取り付けたものがある（後記特許文献１参照）。また、このような階段として、例えば図２２に示すように、Ｈ形鋼からなる側桁６０に、断面中空多角形状のアルミ押出形材からなるブラケット６１が取り付けられ、ブラケット６１に木製の踏板６２が取り付けられたものが考えられる。ブラケット６１の取付面６１ａは、側桁６０の上フランジ６０ａにボルトＢで固定されている。また、踏板６２の裏面にはナットＮが埋め込まれており、踏板６２は、ブラケット６１の踏板支持面６１ｂからのボルトＢの螺入によりブラケット６１に固定されている。
【０００３】
【特許文献１】
特開平１１−２２１２９号公報（図６等）
【０００４】
【発明が解決しようとする課題】
ところで、図２２に示した階段には、以下の問題がある。
（１）最初に側桁６０にブラケット６１を取り付けた場合、その後、ブラケット６１に踏板６２を取り付けるときにボルトＢを上向きに螺入しなければならないため、作業効率が悪い。なお、踏板６２の上からブラケット６１に対して下向きにボルトやタッピングビスをねじ込む構造とすることもできるが、この場合には踏板６２の上面の美観が損なわれてしまう。
一方、最初にともに上下反転させた状態で踏板６２にブラケット６１を取り付ければ上記のような問題は生じないが、その後、踏板６２が取り付けられて重量の増したブラケット６１を、傾斜した側桁６０の上フランジ６０ａに位置決めしながら取り付けなければならないので、やはり作業効率が悪い。
【０００５】
（２）階段勾配を決める側桁６０の設置角度を、階段の設置条件（敷地条件や建物の間取り等）に応じて調整する場合に、ブラケット６１の断面形状を変更しなければならなくなるので、量産に向かずコストが高くなってしまう。
以上の問題は、踏板６２を側桁６０ではなく一本の中央桁で支持するような場合も同様であり、また桁がトラス構造になっていても同様である。つまり、以上の問題は、上下階を斜めに結ぶ桁にブラケットが取り付けられ、このブラケットで踏板が支持される場合に共通に起こるものである。
【０００６】
そこで、本発明は、踏板取付作業が簡単で、階段勾配の変化に容易に対応可能な階段を提供することを課題とする。
【０００７】
【課題を解決するための手段】
このような課題を解決するために、請求項１に係る発明は、階段勾配で傾斜する桁と、この桁の傾斜上面に取り付けられた下ブラケットと、この下ブラケットの水平上面に取り付けられた上ブラケットと、この上ブラケットの上面に取り付けられた踏板と、を備える、ことを特徴とする階段である。
【０００８】
かかる階段は、下ブラケット及び上ブラケットの二部材を介して踏板を桁で支持するものである。下ブラケットの上面及び上ブラケットの下面は水平である。したがって、最初にともに上下反転させた状態で踏板に上ブラケットを取り付け、一方で桁に下ブラケットを取り付けておき、最後に上ブラケットの下面を、桁の傾斜上面に取り付けられた下ブラケットの水平上面に取り付けることにより、桁に対して簡単に踏板を取り付けることができる。また、踏板に上ブラケットを取り付けるボルトや、下ブラケットに上ブラケットを取り付けるボルトを上から螺入することができるので、楽な姿勢で作業できる。
【０００９】
請求項２に係る発明は、請求項１に記載の階段において、前記下ブラケットの上面と前記上ブラケットの下面は水平に形成されていることを特徴とする。
【００１０】
かかる階段によれば、下ブラケットに上ブラケットを取り付ける際に、下ブラケット上に上ブラケットを置くことによって上ブラケットを取り付けることができるとともに、下ブラケットに対する上ブラケットの固定が容易になる。
【００１１】
請求項３に係る発明は、請求項１または請求項２に記載の階段において、下ブラケットの上面に第一係止部が形成されているとともに、上ブラケットの下面には下ブラケットの第一係止部に係止する第二係止部が形成されていることを特徴とする。
【００１２】
かかる階段によれば、下ブラケットに上ブラケットを取り付けるときに、下ブラケットの第一係止部と上ブラケットの第二係止部とが互いに係止し、位置決めされるので、踏板の取付作業をより簡単に行うことができる。
【００１３】
請求項４に係る発明は、階段勾配で傾斜する桁と、この桁の傾斜上面に取り付けられた下ブラケットと、この下ブラケットの上面に取り付けられた上ブラケットと、この上ブラケットの水平上面に取り付けられた踏板と、を備え、前記下ブラケットの上面が側面視円弧状に形成されているとともに、前記上ブラケットの下面が前記下ブラケットの上面に合致するような側面視円弧状に形成されている、ことを特徴とする階段である。
【００１４】
かかる階段も、下ブラケット及び上ブラケットの二部材を介して踏板を桁で支持するものである。下ブラケットの上面及び上ブラケットの下面はいずれも側面視円弧状に形成され、互いに合致するようになっている。したがって、最初にともに上下反転させた状態で踏板に上ブラケットを取り付けておき、一方で桁に下ブラケットを取り付けておき、最後に上ブラケットの下面を、桁の傾斜上面に取り付けられた下ブラケットの上面に取り付けることにより、桁に簡単に踏板を取り付けることができる。また、下ブラケットに対して上ブラケットを前後方向に傾動させることにより、階段勾配に応じて上ブラケットの上面が水平になるように調整することができるので、階段勾配が変わっても下ブラケット及び上ブラケットは常に同じものを使用することができる。さらに、踏板に上ブラケットを取り付けるボルトや、下ブラケットに上ブラケットを取り付けるボルトを上から螺入することができるので、楽な姿勢で作業できる。
【００１５】
請求項５に係る発明は、請求項４に記載の階段において、下ブラケットの上面に側面視所定角度刻みで周方向に連続する凹凸が形成されているとともに、上ブラケットの下面には下ブラケットの上面の凹凸に係止する凹凸が形成されていることを特徴とする。
【００１６】
かかる階段によれば、下ブラケットの上面の凹凸と上ブラケットの下面の凹凸との係止により、安定した状態で所定角度刻みに上ブラケットの角度を変化させることができる。
【００１７】
請求項６に係る発明は、請求項１乃至請求項５のいずれか一項に記載の階段において、上ブラケットが断面中空多角形状の本体部と、この本体部の前後に突出する取付鍔部とを備え、この取付鍔部に踏板が取り付けられていることを特徴とする。
【００１８】
かかる階段によれば、上ブラケットが本体部の中空部ではなく、その前後に突出している取付鍔部で踏板に取り付けられているので、踏板に対する上ブラケットの取付作業が簡単である。
【００１９】
請求項７に係る発明は、請求項１乃至請求項６のいずれか一項に記載の階段において、下ブラケット及び上ブラケットがアルミニウム合金製の押出形材からなることを特徴とする。
【００２０】
かかる階段によれば、下ブラケット及び上ブラケットがアルミニウム合金製の押出形材からなるので、製作が容易になるとともに、強度の割に軽量で腐食しにくいというアルミニウム合金のメリットを活かすことができる。
【００２１】
請求項８に係る発明は、請求項１乃至請求項７のいずれか一項に記載の階段において、桁がアルミニウム合金製のフレーム材を含むトラス構造体からなることを特徴とする。
【００２２】
かかる階段によれば、桁がフレーム材を含んだトラス構造からなるので、階段を軽構造とすることができる。また、強度の割に軽量で腐食しにくいというアルミニウム合金のメリットを活かすことができる。
【００２３】
請求項９に係る発明は、階段勾配で傾斜するトラス構造体で踏板が支持された階段であって、前記トラス構造体は、連結溝を外面に備える略円筒形状の節点部材を介して、前記連結溝に嵌合可能な接続端部を両端に有する複数本のフレーム材を互いに接続してなり、前記節点部材は、その軸線方向が階段勾配方向と直交するように配置され、上ワッシャと下ワッシャとで上下から取付面が挟み込まれたブラケットを前記節点部材の傾斜上面に取り付け、前記上ワッシャの下面と前記下ワッシャの上面が前記階段勾配方向に対して傾斜することにより、前記ブラケットの上面を水平にした、ことを特徴とする。
【００２４】
かかる階段によれば、上ワッシャの下面と下ワッシャの上面が階段勾配方向に対して傾斜することによりブラケットの上面を水平にしたので、上ワッシャと下ワッシャの組み合わせを代えるだけで、様々な階段勾配に対応することができる。また、桁がフレーム材を互いに接続したトラス構造体からなるので、階段を軽構造とすることができる。このトラス構造体は、フレーム材の接続端部を節点部材の連結溝に挿入するだけで、溶接等を行わずに簡単に組み立てることができるものである。
【００２５】
【発明の実施の形態】
本発明の実施の形態を添付した図面を参照しつつ、詳細に説明する。なお、同一の要素には同一の符号を付し、重複する説明は省略する。
【００２６】
（第１の実施形態）
図１は、第１の実施形態に係る階段の全体を示す斜視図、図２は、同じく正面図、図３は同じく側面図、図４は図３を部分的に拡大した図である。
図１乃至図４に示すように、この階段は、立体トラス構造体１０を中央桁とした階段であり、階段勾配で傾斜する立体トラス構造体１０と、後記する下ブラケット及び上ブラケットを備える踏板取付部材１１を介して立体トラス構造体１０に支持される踏板１２とから構成されている。また、図３及び図４に示すように、立体トラス構造体１０は、その下端に取り付けられたサポートシューＳ１，Ｓ２を介して階下の床面Ｆ１に固定され、上端に取り付けられたサポートシューＳ３を介して階上の床面Ｆ２を支持する梁材Ｆ２１に固定されている。また、この実施形態では、踏板１２の側端が壁面Ｗに固定されるとともに、他方の側端に手摺１５が取り付けられている。
【００２７】
＜立体トラス構造体＞
図５は、図１に示す階段の分解斜視図、図６（ａ）は、図３のＸ１−Ｘ１矢視図、図６（ｂ）は、図６（ａ）のＸ２−Ｘ２矢視図、図７は、フレーム材、連結材及びラチス材を示す図、図８は、連結部材たるハブを説明する斜視図、図９は同じく平面図である。
【００２８】
立体トラス構造体１０は、図５及び図６に示すように、互いに平行な二条の上弦材１０Ａ，１０Ａと、上弦材１０Ａ，１０Ａを互いに連結する連結材３と、上弦材１０Ａ，１０Ａの中間の下方に位置する一条の下弦材１０Ｂと、上弦材１０Ａ，１０Ａと下弦材１０Ｂとを互いに連結するラチス材４とを備えている。
上弦材１０Ａ，１０Ａは、それぞれ節点部材たるハブ２Ａにより連結された複数のフレーム材１により構成され、下弦材１０Ｂは、ハブ２Ｂにより連結された複数のフレーム材１により構成されている。
なお、上弦材１０Ａ，１０Ａを構成するハブ２Ａと下弦材１０Ｂを構成するハブ材２Ｂとは、同一の構成であるので、説明が重複する場合は、適宜符号「２」を付す。
【００２９】
フレーム材１は、断面円形のアルミニウム合金製の中空押出形材を加工したものであり、図７（ａ）（ｂ）に示すように、その両端に偏平状の接続端部１ａを有している。また、接続端部１ａの先端には、フレーム材１の軸線に直交する方向に凹凸が形成されている。この凹凸は、軸線方向に連続する山谷で構成されるとともに、その稜線は軸線に直交する方向に延びている。接続端部１ａ及び凹凸は、中空押出形材の両端にプレス加工などを施してこの両端を押し潰すことにより形成されている。
【００３０】
連結材３は、図７（ａ）（ｂ）に示すフレーム材１と同様に、アルミニウム合金製の中空押出形材を加工したものであり、その両端に偏平状の接続端部３ａを有している。また、接続端部３ａの先端には、フレーム材１の接続端部１ａと同一断面形状の凹凸が形成されている。
【００３１】
ラチス材４は、フレーム材１と同様に、アルミニウム合金製の中空押出形材を加工したものであり、図７（ｃ）（ｄ）に示すように、その両端に偏平状の接続端部４ａを有している。また、接続端部４ａの先端には、凹凸が形成されている。この凹凸は、ラチス材４の軸線方向に連続する山谷で構成されるとともに、その稜線は軸線に対して角度α（以下、コイン角αとする）をなしている。なお、接続端部４ａの断面形状は、フレーム材１の接続端部１ａの断面形状と同一である。
【００３２】
節点部材であるハブ２は、図８に示すように、円柱形状であり、アルミニウム合金製の押出形材もしくは鋳造品からなる。このハブ２は、その軸線方向が階段勾配方向と直交するように配置され、その上面は、階段勾配と同じ勾配で傾斜している。ハブ２の外周面には、複数の連結溝２ａがハブ２の軸線方向に沿って形成され、ハブ２の中心には、ボルト挿通孔２ｂが形成されている。
【００３３】
連結溝２ａは、フレーム材１、連結材３及びラチス材４の接続端部１ａ，３ａ，４ａが嵌合可能で、その内壁面には、接続端部１ａ，３ａ，４ａの凹凸と係合する凹凸が形成されている。また、この実施形態では、８つの連結溝２ａが４５度ピッチで形成されている。
また、連結溝２ａのうち、フレーム材１、連結材３及びラチス材４が接続されないものには、連結溝２ａと同一の寸法・形状を有する溝埋部材２ｅが挿入されている。また、この実施形態では、連結溝２ａの長さを、フレーム材１の接続端部１ａの長さよりも長いラチス材４の接続端部４ａの長さに合わせているので、例えば、フレーム材１をハブ２の下端まで挿入すると、その上方には隙間が生じる。この場合には、フレーム材１の接続端部１ａの上方に溝埋部材２ｆを挿入して、フレーム材１の接続位置がずれないようにしている。
【００３４】
ハブ２にフレーム材１や連結材３、ラチス材４を接続する場合には、接続端部１ａ，３ａ，４ａに形成された凹凸をハブ２の上面側や下面側から連結溝２ａに嵌合すればよい。なお、ラチス材４の接続端部４ａは、前記した凹凸の稜線が軸線に対してコイン角αをなしているので、その軸線方向がハブ２の軸線方向に対してコイン角αだけ傾斜した状態になるように連結溝２ａに嵌合している。このようにして連結溝２ａに嵌合させた接続端部１ａ，３ａ，４ａは、ハブ２の軸線方向に長い偏平状に形成されていることから、ハブ２の軸線方向の外力に対しては強度的に強いジョイント部が形成される。
【００３５】
また、図９に示すように、連結溝２ａと接続端部１ａ，３ａ，４ａの各々に形成した凹凸とが互いに係合するので、フレーム材１、連結材３及びラチス材４がその軸線方向に引き抜かれることはない。なお、ハブ２の形状や連結溝２ａの個数などは、ハブ２に接続される部材の本数や角度に合わせて、適宜変更しても差し支えない。
【００３６】
下弦材１０Ｂを構成するハブ２Ｂの上下面には、図８に示すように、フレーム材１、ラチス材４の抜け出しを防止するためのワッシャ２ｄが取り付けられている。ワッシャ２ｄは、ハブ２Ｂのボルト挿通孔２ｂに挿通される通しボルトＢ３とナットＮにより固定されている。さらに、ハブ２Ｂの上下面には、ボルトＢ３及びナットＮを覆い隠すためのキャップ２ｃが取り付けられている。
そして、上弦材１０Ａ，１０Ａを構成するハブ２Ａには、その上面に後記する踏板取付部材１１が取り付けられるので、下面のみにワッシャ２ｄ及びキャップ２ｃが取り付けられている。
【００３７】
＜サポートシュー＞
サポートシューＳ１は、図１０（ａ）に示すように、階下の床面Ｆ１に当接する床面当接面Ｓ１１と、ハブ２Ａの下面に当接するハブ当接面Ｓ１２と、ハブ２Ａの位置決め及びズレ止めとなる係止片Ｓ１３とを有し、図４に示すように、上弦材１０Ａ，１０Ａの下端に位置するハブ２Ａの下面と階下の床面Ｆ１との間に介設されている。また、ハブ当接面Ｓ１２は、床面当接面Ｓ１１に対して階段勾配で傾斜している。
【００３８】
サポートシューＳ２は、図１０（ｂ）に示すように、階下の床面Ｆ１に当接する床面当接面Ｓ２１と、ハブ２Ｂの下面に当接するハブ当接面Ｓ２２と、ハブ２Ｂの位置決め及びズレ止めとなる係止片Ｓ２３とを有し、図４に示すように、下弦材１０Ｂの下端に位置するハブ２Ｂの下面と階下の床面Ｆ１との間に介設されている。また、ハブ当接面Ｓ２２は、床面当接面Ｓ２１に対して階段勾配で傾斜している。
【００３９】
サポートシューＳ３は、図１０（ｃ）に示すように、階上の床面を支持する梁材Ｆ２１の側面に当接する梁材当接面Ｓ３１と、ハブ２Ａの下面に当接するハブ当接面Ｓ３２と、ハブ２Ａの位置決め及びズレ止めとなる係止片Ｓ３３とを有し、図４に示すように、上弦材１０Ａ，１０Ａの上端に位置するハブ２Ａの下面と梁材Ｆ２１の側面との間に介設されている。また、ハブ当接面Ｓ３２は、梁材当接面Ｓ３１に対して階段勾配で傾斜している。
サポートシューＳ１，Ｓ２，Ｓ３は、アルミニウム合金製の押出形材からなる。なお、各サポートシューの形状は、図示の形状に限定されることなく、階段の設定箇所の状況に応じて適宜に変更してよい。
【００４０】
＜踏板＞
踏板１２は、図１乃至図５に示すように、略長方形の平面形状を有する板状体からなっている。この踏板１２には、木製や金属製のものが使用されればよい。踏板１２は、図５に示すように、立体トラス構造体１０が延びる方向に沿って複数配置されている。なお、踏板１２，１２・・・の平面形状は、図示した平面形状に限定されることなく適宜に変更してよい。
【００４１】
＜踏板取付部材＞
踏板取付部材１１は、踏板１２と立体トラス構造体１０との間に配置されて、傾斜する立体トラス構造体１０上で踏板１２を水平に支持するためのものである。
図１１は、踏板取付部材の構造を示す断面図、図１２は、図１１に示す踏板取付部材を構成する下ブラケットの構造を示す部分斜視図であり、図１２（ａ）は、下ブラケットの下面の様子を示す図、図１２（ｂ）は、下ブラケットの上面の様子を示す図、図１３は、踏板取付部材を構成する上ブラケットの構造を示す部分斜視図である。
【００４２】
踏板取付部材１１は、図１１に示すように、下ブラケット１１ａと、この下ブラケット１１ａ上に配置される上ブラケット１１ｂとを備えている。
▲１▼下ブラケット
下ブラケット１１ｂは、図１２（ａ）（ｂ）に示すように、その断面が多角形状で中空部を有する長尺の略筒状体からなっている。ここでは下ブラケット１１ａとしてアルミニウム合金製の中空押出形材が使用されている。この下ブラケット１１ａは、図１１に示すように、上ブラケット１１ｂに接するとともに、水平に維持されている上面１６（以下、水平上面１６という場合がある）と、ハブ２Ａの上面と同じく階段勾配で傾斜している下面１７とを有している。すなわち、下ブラケット１１ａは、上面１６が下面１７に対して階段勾配に等しい角度をなすように構成されている。この下ブラケット１１ａの水平上面１６で上ブラケット１１ｂは受け止められている。
【００４３】
下ブラケット１１ｂの上面１６には、この水平上面１６で受け止められる上ブラケット１１ｂの位置合わせを容易にする第一係止部１８が形成されている。第一係止部１８は、図１２（ｂ）に示すように、上面１６の長手方向の縁から上方向に突出した第一突出部１８ａと、上面１６でのもう一方の縁がこの縁に沿って切り欠かれた第一切欠き部１８ｂとで構成されている。図１１に示すように、この第一突出部１８ａが上面１６から立ち上がる基端部は括れている。
下ブラケット１１ａの上ブラケット１１ｂと向き合う側（下ブラケット１１ａの上面１６）には、図１１及び図１２（ｂ）に示すように、第一ボルト挿通孔１９が形成されている。この第一ボルト挿通孔１９は、下ブラケット１１ａと、上ブラケット１１ｂとを接合するボルトＢ４を通すためのものである。
【００４４】
また、下ブラケット１１ａのハブ２Ａの上面と向き合う側（下ブラケット１１ａの下面１７）には、図１１及び図１２（ａ）に示すように、前記したハブ２Ａのボルト挿通孔２ｂに対応する位置に、第二ボルト挿通孔２０が形成されている。この第二ボルト挿通孔２０は、下ブラケット１１ａと、立体トラス構造体１０とを接合するボルトＢ１を通すためのものである。
下ブラケット１１ａの中空側の内壁には、図１１に示すように、第一及び第二ボルト挿通孔１９，２０に対応する位置にナットＮがそれぞれ配置されている。これらナットＮは、ナットＮの周囲で内壁から立ち上がる切片２１で内壁面上に保持されている。
【００４５】
▲２▼上ブラケット
上ブラケット１１ｂは、図１１及び図１３に示すように、その断面が多角形状で中空部を有する長尺の略筒状体からなっている。ここでは前記した下ブラケット１１ａと同様に、上ブラケット１１ｂとしてアルミニウム合金製の中空押出形材が使用されている。
この上ブラケット１１ｂは、図１１に示すように、下ブラケット１１ａの上面１６に接する下面２２と、この下面２２に対して平行な上面２３とを有している。
【００４６】
この上ブラケット１１ｂの下面２２には、図１３に示すように、下ブラケット１１ｂの第一係止部１８（図１２（ｂ）参照）に係止する第二係止部２４が形成されている。この第二係止部２４は、図１１に示すように、第一係止部１８を構成する第一突出部１８ａ及び第一切欠き部１８ｂと相互にはまり合う第二切欠き部２４ａ及び第二突出部２４ｂとで構成されている。これら第一及び第二係止部１８，２４がはまり合うとともに、上ブラケット１１ｂの下面２２と下ブラケット１１ａの水平上面１６とが接するように上ブラケット１１ｂは下ブラケット１１ａ上に配置されている。このように配置された上ブラケット１１ｂは、下面２２と上面２３とが平行になっているので、上面２３は水平になる。この上ブラケット１１ａの上面２３（以下、水平上面２３という場合がある）上で踏板１２は受け止められている。
【００４７】
上ブラケット１１ｂは、図１１及び図１３に示すように、踏板１２を上ブラケット１１ｂの上面２３に取り付けるための取付鍔部２５を備えている。この取付鍔部２５は、図１３に示すように、断面中空多角形状の上ブラケット１１ｂ本体の前後に突出している。すなわち取付鍔部２５は、上ブラケット１１ｂ本体の上面２３の長手方向に沿った両縁から、踏板１２の裏面に沿うように張り出している。
【００４８】
上ブラケット１１ｂの下ブラケット１１ａと向き合う側には、図１１及び図１３に示すように、前記した下ブラケット１１ａの第一ボルト挿通孔１９に対応する位置に、第三ボルト挿通孔２６が形成されている。この第三ボルト挿通孔２６は、上ブラケット１１ｂと下ブラケット１１ａとを接合するボルトＢ４を通すためのものである。
前記取付鍔部２５には、図１１及び図１３に示すように、螺子孔２７が形成されている。
これら下ブラケット１１ａ及び上ブラケット１１ｂが相互に組み合わされて踏板取付部材１１を構成するが、この踏板取付部材１１の両側に現れる開口部には、これを覆い隠す蓋体１１ｃが取り付けられる（図４参照）。
【００４９】
＜階段の構築手順＞
次に、本発明に係る階段の構築手順を図３乃至図６、図８及び図１１を参照して説明する。
まず、立体トラス構造体１０の構築手順について説明する。立体トラス構造体１０を構築するには、図５に示すように、フレーム材１、連結材３及びラチス材４をハブ２Ａに、フレーム材１及びラチス材４をハブ２Ｂにそれぞれ接続すればよい。
【００５０】
図６（ａ）（ｂ）を参照して、立体トラス構造体１０の構築手順をより詳細に説明する。まず、下弦材１０Ｂを構成するハブ２Ｂに四本のラチス材４を９０度ピッチで接続する。このようなユニットを複数個組み立て、それらを一直線に並べた後に、互いに隣接するハブ２Ｂ，２Ｂにフレーム材１を順次接続して下弦材１０Ｂを構成し、さらに、隣接するラチス材４，４の上端をハブ２Ａで連結する。そして、軸方向に隣接するハブ２Ａ，２Ａにフレーム材１を接続して上弦材１０Ａを構成するとともに、軸直角方向に隣接するハブ２Ａ，２Ａに連結材３を接続して、二条の上弦材１０Ａ，１０Ａを互いに連結する。
このように組み立てると、下弦材１０Ｂが上弦材１０Ａ，１０Ａの中間の下方に位置することになり、したがって、立体トラス構造体１０を軸方向から観ると逆三角形になる。また、立体トラス構造体を側面視するとワーレントラス形状になる（図３参照）。
【００５１】
立体トラス構造体１０を構築したら、図４に示すように、下ブラケット１１ａを上弦材１０Ａのハブ２Ａの上面に載置するとともに、ハブ２Ａの下面側から通しボルトＢ１をボルト挿通孔２ｂ及び第一ボルト挿通孔２０に挿通して、下ブラケット１１ａをハブ２Ａの上面に固定する。なお、ハブ２Ａの下面側には、抜止め用のワッシャ２ｄ（図８参照）が取り付けられる。
また、図８に示すように、下弦材１０Ｂのハブ２Ｂの上下面に、フレーム材１及びラチス材４の抜出しを防止するためのワッシャ２ｄを取り付け、通しボルトＢ３及びナットＮで固定する。さらに、キャップ２ｃで通しボルトＢ３及びナットＮを覆い隠す。
【００５２】
次に、立体トラス構造体１０を、階下の床板Ｆ１と階上の梁材Ｆ２１との間に架設する（図３参照）。このとき、上弦材１０Ａの下端に位置するハブ２Ａの下面と階下の床面Ｆ１との間にサポートシューＳ１を、下弦材１０Ｂの下端に位置するハブ２Ｂの下面と階下の床面Ｆ１との間にサポートシューＳ２をそれぞれ介設するとともに、上弦材１０Ａの上端に位置するハブ２Ａと階上の梁材Ｆ２１の側面との間にサポートシューＳ３を介設する。そして、立体トラス構造体１０を所定の階段勾配で設置すると、立体トラス構造体１０のハブ２Ａの上面は、同じく階段勾配で傾斜するとともに、ハブ２Ａに取り付けられた下ブラケット１１ａの上面２２は水平になる。
【００５３】
その一方で、予め上ブラケット１１ｂに踏板１２を取り付けておく。この取付けにあたっては、踏板１２の裏面に上ブラケット１１ｂの上面２３を合わせるとともに、取付鍔部２５の螺子孔２７を介して螺子２８で踏板１２を取り付ければよい（図１１参照）。
【００５４】
次に、踏板１２が取り付けられた上ブラケット１１ｂを、立体トラス構造体１０側に取り付けられた下ブラケット１１ａの水平上面２２に取り付ける。
次いで、この第一及び第三ボルト挿通孔１９，２６にボルトＢ４を通すとともに、下ブラケット１１ａの内壁に保持されたナットＮにボルトＢ４を螺合させることにより、立体トラス構造体１０に踏板１２を取り付ける。最後に、踏板１２の側端を壁面Ｗに取り付けられた受材（図示せず）に固定するとともに、踏板１２のもう一方の側端に手摺１５を取り付けて、階段の構築は完了する。
【００５５】
この階段は、階段勾配で傾斜する立体トラス構造体１０に下ブラケット１１ａを取り付けると下ブラケット１１ａの上面１６が水平になる。そして、上ブラケット１１ｂは、その下面２２及び上面２３が相互に平行になるように構成されているので、踏板１２の上面が水平になる。したがって、予め上ブラケット１１ｂの上面２３に踏板１２を取り付けておき、この上ブラッケット１１ｂを立体トラス構造体１０に取り付けられた下ブラケット１１ａの水平上面１６に取り付けることにより、立体トラス構造体１０に対して簡単に踏板１２を取り付けることができる。
【００５６】
また、上ブラケット１１ｂの上面２３に踏板１２を取り付けるにあたって、踏板１２には裏側から螺子が取り付けられるので、踏板１２の上面の美観は損なわれない。さらに、踏板及び上ブラケット１１ｂを上下反転させた状態で上ブラケット１１ｂに踏板１２を取り付けることができるので、楽な姿勢で作業を行うことができる。
【００５７】
踏板１２が取り付けられた上ブラケット１１ｂを下ブラケット１１ａに取り付けるにあたって、上ブラケット１１ｂの下面２２を下ブラケット１１ａの上面１６に合わせると、図１１に示すように、下ブラケット１１ａの第一突出部１８ａと上ブラケット１１ｂの第二切欠き部２４ａとが相互にはまり合うとともに、下ブラケット１１ａの第一切欠き部１８ｂと上ブラケット１１ｂの第二突出部２４ｂとが相互にはまり合う。したがって、下ブラケット１１ａに対する上ブラケット１１ｂの位置合わせは容易に行うことができる。また、第一突出部１８ａの括れと、この括れに食い込む第二切欠き部２４ａとによって、上ブラケット１１ｂの上方向への動きが規制されるため、位置決めはさらに的確に行うことができる。
【００５８】
また、このように重ね合わされた上ブラケット１１ｂと下ブラケット１１ａとを接合するにあたって、接合するために使用するボルトＢ４は、上方向からナットＮに螺入される（図１１参照）。したがって、作業者は、楽な姿勢で踏板１２の取付作業を行うことができる。
また、この階段によれば、上ブラケット１１ｂが本体部の中空部ではなく、その前後に突出している取付鍔部２５で踏板１２に取り付けられているので、踏板１２に対する上ブラケット１１ｂの取付作業が簡単である。
【００５９】
また、この階段は、桁としてトラス構造体を使用しており、階段を軽量構造とすることができるとともに、フレーム材１の接続部分をハブ２Ａの連結溝２ａに挿入するだけで、溶接等を行わずに簡単に組み立てることができるものである。そして、トラス構造体にはアルミニウム合金製のフレーム材１を含んでいるので、強度の割に軽量で腐食しにくいというアルミニウム合金のメリットを活かすことができる。
また、この階段は、下ブラケット１１ａ及び上ブラケット１１ｂがアルミニウム合金製の押出形材からなるので、製作が容易になるとともに、強度の割に軽量で腐食しにくいというアルミニウム合金のメリットを活かすことができる。
【００６０】
（第２の実施形態）
第２の実施形態に係る階段では、第１の実施形態で使用した踏板取付部材１１に代えて、次の踏板取付部材が使用されている。
図１４は、第２の実施形態に係る階段に使用される踏板取付部材の構造を示す断面図、図１５は、図１４に示す踏板取付部材を構成する下ブラケットの構造を示す部分斜視図、図１６は、踏板取付部材を構成する上ブラケットの構造を示す部分斜視図である。
【００６１】
図１４に示すように、踏板取付部材３１は、下ブラケット３１ａと、この下ブラケット３１ａ上に配置される上ブラケット３１ｂとを備えている。
▲１▼下ブラケット
下ブラケット３１ａは、図１４及び図１５に示すように、その断面が多角形状で中空部を有する長尺の略筒状体で構成されている。ここでは、第１の実施形態と同様に、下ブラケット３１ａとしてアルミニウム合金製の中空押出形材が使用されている。この下ブラケット３１ａは、図１４に示すように、側面視円弧状に形成されている上面３２と、ハブ２Ａの上面と同じく階段勾配で傾斜している下面３３とを有している。この下ブラケット３１ａの上面３２で上ブラケット３１ｂは受け止められている。
【００６２】
下ブラケット３１ａの上面３２には、図１４及び図１５に示すように、側面視所定角度刻みで周方向に連続する凹凸３４が形成されている。この凹凸３４は、この凹凸３４を構成する山谷の稜線が相互に平行に下ブラケット３１ａの長手方向に向けて延びるように形成されている。
下ブラケット３１ａの上ブラケット３１ｂと向き合う側には、第１の実施形態と同様に、下ブラケット３１ａと、上ブラケット３１ｂとを接合するボルトＢ４を通すための第一ボルト挿通孔１９が形成されている（図１４及び図１５）。
また、下ブラケット３１ａのハブ２Ａの上面と向き合う側には、第１の実施形態と同様に、第二ボルト挿通孔２０が形成されており（図１４及び図１５参照）、下ブラケット３１ａの中空側の内壁には、第１の実施形態と同様に、ナットＮが配置されるとともに、このナットＮを保持する切片２１が配置されている（図１４参照）。
【００６３】
▲２▼上ブラケット
上ブラケット３１ｂは、図１４及び図１６に示すように、その断面が多角形状で中空部を有する長尺の略筒状体で構成されている。ここでは、第１の実施形態と同様に、上ブラケット３１ｂとしてアルミニウム合金製の中空押出形材が使用されている。
この上ブラケット３１ｂは、図１４に示すように、下ブラケット３１ａの上面３２に接する下面３６と、踏板１２に接する上面３７とを有している。
この上ブラケット３１ｂの下面３６は、図１４に示すように、下ブラケット３１ａの上面３２に合致するような側面視円弧状に形成されている。すなわち、上ブラケット３１ｂの下面３６は、下ブラケット３１ａの上面３２である周面に沿うように形成されている。
【００６４】
上ブラケット３１ｂの下面３６には、図１４及び図１６に示すように、下ブラケット３１ｂの凹凸３４に係止される凹凸３８が形成されている。この凹凸３８は、前記した下ブラケット３１ｂの凹凸３４を構成する山谷に噛み合う山谷で構成されている。
上ブラケット３１ｂの下ブラケット３１ａと向き合う側には、第１の実施形態と同様に、前記した第一ボルト挿通孔１９に対応する位置に、上ブラケット３１ｂと下ブラケット３１ａとを接合するボルトＢ４を通すための第三ボルト挿通孔２６が形成されている。
【００６５】
上ブラケット３１ｂの踏板１２と向き合う側には、図１４及び図１６に示すように、第四ボルト挿通孔３９が形成されている。この第四ボルト挿通孔３９は、下ブラケット３１ａと、踏板１２とを接合するボルトＢ５を通すためのものである。
下ブラケット３１ａの中空側の内壁には、図１４及び図１６に示すように、第四ボルト挿通孔３９に対応する位置にナットＮがそれぞれ配置されている。これらナットＮは、第１の実施形態と同様に、ナットＮの周囲で内壁から立ち上がる切片２１で内壁面上に保持されている。
踏板１２には、図１４に示すように、第四ボルト挿通孔３９に対応する位置に、ボルトＢ５を通すための第五ボルト挿通孔４１が形成されている。
【００６６】
＜階段の構築手順＞
第１の実施形態と同様にして、構築した立体トラス構造体１０に下ブラケット３１ａが取り付けられる。
その一方で、予め上ブラケット３１ｂに踏板１２を取り付けておく。この取付けにあたっては、踏板１２の裏面に上ブラケット３１ｂの上面３７を合わせるとともに、踏板１２の上面から第五ボルト挿通孔４１に通したボルトＢ５とナットＮとを螺合させればよい（図１４参照）。
【００６７】
次に、踏板１２が取り付けられた上ブラケット３１ｂを、立体トラス構造体１０側に取り付けられた下ブラケット３１ａの上面３２に取り付ける。そして、この第一及び第三ボルト挿通孔１９，２６にボルトＢ４を通すとともに、下ブラケット３１ａの内壁に保持されたナットＮにボルトＢ４を螺合させる。なお、第三ボルト挿通孔２６は階段の傾斜に応じて、踏板１２の上面が水平になる位置にあける。また、第三ボルト挿通孔２６を若干大きめにするか円周に沿って長孔とすることにより、階段の傾斜角度に対する対応が可能になる。この場合、ボルトＢ４の締付具合を加減して上ブラケット３１ｂを下ブラケット３１ａに仮止めしておく。このように上ブラケット３１ｂを仮止めしておくと、上ブラケット３１ｂの下面３６は、下ブラケット３１ａの上面３２である周面に沿って動くことにより、立体トラス構造体１０に対する踏板１２の角度は変化する。
【００６８】
また、上ブラケット３１ｂを下ブラケット３１ａ側に向けて押しつけると、上面３２に形成された凹凸３８は、下面３６に形成された凹凸３４に係止される。したがって、踏板１２が水平になるように上ブラケット３１ｂを動かして、上ブラケット３１ｂを下ブラケット３１ａ側に向けて押しつければ、容易に上ブラケット３１ｂの位置決めをすることができる。そして、ボルトＢ４をさらに締め付ければ、立体トラス構造体１０に踏板１２は固定される。最後に、第１の実施形態と同様に、踏板１２の側端を壁面Ｗに取り付けられた受材（図示せず）に固定するとともに、踏板１２のもう一方の側端に手摺１５を取り付けて、階段の構築は完了する。
【００６９】
この階段は、第１の実施形態と同様に、下ブラケット３１ａ及び上ブラケット３１ｂの二部材を介して踏板１２を立体トラス構造体１０で支持するものである。下ブラケット３１ａの上面３２及び上ブラケット３１ｂの下面３６はいずれも側面視円弧状に形成され、互いに合致するようになっている。したがって、最初に踏板１２に上ブラケット３１ｂを取り付けておき、一方で立体トラス構造体１０に下ブラケット３１ａを取り付けておき、最後に上ブラケット３１ｂの下面３６を、立体トラス構造体１０の傾斜面（ハブ２Ａの上面）に取り付けられた下ブラケット３１ａの水平上面３２に取り付けることにより、立体トラス構造体１０に簡単に踏板１２を取り付けることができる。また、第三ボルト挿通孔２６をあける位置を調整し、または第三ボルト挿通孔２６を大きめにしたり円周に沿った長孔とすれば、下ブラケット３１ａに対して上ブラケット３１ｂを前後方向に傾動させることにより、階段勾配に応じて上ブラケット３１ｂの上面３７が水平になるように調整することができるので、階段勾配が変わっても下ブラケット３１ａ及び上ブラケット３１ｂは常に同じものを使用することができる。さらに、踏板１２を上ブラケット３１ｂに取り付けるボルトＢ５はいずれも上から螺入することができるので、楽な姿勢で作業できる。
【００７０】
（第３の実施形態）
第３の実施形態に係る階段は、第２の実施形態で使用した踏板取付部材３１の上ブラケット３１ｂに代えて、次の上ブラケットが使用されているほかは、第２の実施形態の階段と同様に構成されている。
図１７は、第３の実施形態に係る階段に使用される踏板取付部材を示す断面図、図１８は、図１７に示す踏板取付部材を構成する上ブラケットの構造を示す部分斜視図である。
【００７１】
図１７に示すように、上ブラケット４２は、踏板１２を上ブラケット４２の上面４３に取り付けるための取付鍔部２５を備えているほかは、第２の実施形態で示した上ブラケット３１ｂと同様に構成されている。取付鍔部２５は、第１の実施形態で示した上ブラケット１１ｂの取付鍔部２５と同様に、
断面中空多角形状の上ブラケット本体部４２ｃの前後に突出している。取付鍔部２５には、第１の実施形態と同様に螺子孔２７が形成されている。
【００７２】
＜階段の構築手順＞
第３の実施形態の階段構築手順は、第２の実施形態の階段構築手順と同様に行われればよい。なお、踏板１２を上ブラケットに取り付ける手順は、第１の実施形態の階段構築手順で示した手順に順じて行ってもよい。
この階段によれば、上ブラケット４２が本体部の中空部ではなく、その前後に突出している取付鍔部２５で踏板１２に取り付けられているので、踏板１２に対する上ブラケット４２の取付作業が簡単である。
【００７３】
（第４の実施形態）
第４の実施形態に係る階段では、第１の実施形態で使用した踏板取付部材１１に代えて、次の踏板取付部材が使用されている。
図１９は、第４の実施形態に係る階段に使用される踏板取付部材の構造を示す断面図、図２０は、図１９に示す踏板取付部材を構成するブラケットの構造を示す部分斜視図、図２１（ａ）は、踏板取付部材を構成する上ワッシャ及び下ワッシャの構造を示す斜視図、図２１（ｂ）は同じく断面図である。
図１９に示すように、踏板取付部材４４は、立体トラス構造体１０と踏板１２との間に配置される中空のブラケット４５と、立体トラス構造体１０及びブラケット４５の間に配置される下ワッシャ４６ａと、ブラケット４５の中空部に配置されて下ワッシャ４６ａと向き合うように配置される上ワッシャ４６ｂとを備えている。
【００７４】
＜ブラケット＞
ブラケット４５は、図１９及び図２０に示すように、その断面が多角形状で中空部を有する長尺の略筒状体で構成されている。ここでは、第１の実施形態で示した上下ブラケット１１ａ，１１ｂと同様に、ブラケット４５としてアルミニウム合金製の中空押出形材が使用されている。
このブラケット４５は、図１９に示すように、立体トラス構造体１０のハブ２Ａに向き合う下面４７と、踏板１２を水平に受け止める上面４８（以下、水平上面４８という場合がある）とを備えている。
【００７５】
また、ブラケット４５は、踏板１２をブラケット４５の水平上面４８に取り付けるための取付鍔部２５を備えている。この取付鍔部２５は、第１の実施形態で示した上ブラケット１１ｂの取付鍔部２５と同様に、断面中空多角形状のブラケット４５の前後に突出している。取付鍔部２５には、第１の実施形態と同様に、螺子孔２７が形成されている。
ブラケット４５のハブ２Ａと向き合う側には、図１９及び図２０に示すように、前記したハブ２Ａのボルト挿通孔２ｂに対応する位置に、第１の実施形態で示した下ブラケット１１ａと同様に形成した第二ボルト挿通孔２０を備えている。この第二ボルト挿通孔２０は、ブラケット４５と、立体トラス構造体１０とを接合するボルトＢ１を通すためのものである。
【００７６】
＜下ワッシャ及び上ワッシャ＞
下ワッシャ４６ａ及び上ワッシャ４６ｂは、相互に同一形状で構成されており、図２１（ａ）（ｂ）に示すように、中央にボルト孔Ｈを有する略環状部材であり、底面４９に対して所定角度θで傾斜する傾斜面５０を有している。この傾斜角度θは、図１９に示すように、下ワッシャ４６ａの底面４９をハブ２Ａの上面に合わせるとともに、ブラケット４５の下面４７を傾斜面５０に合わせたときに、ブラケット４５の上面４８が水平になるように設定されている。すなわち、下ワッシャ４６ａの傾斜面５０を、図１９に示すように、階段勾配方向（ハブ２Ａの上面の勾配方向）に対して傾斜するように配置するとともに、この下ワッシャ４６ａの傾斜面５０（上面）上にブラケット４５を取り付けることにより、ブラケット４５の上面４８を水平にしている。
そして、傾斜面５０には、挟み込む部材とのすべりを防止するための凹凸５１が形成されている。この凹凸５１は、図２１（ａ）（ｂ）に示すように、傾斜面５０上で連続する山谷で構成されればよい。
【００７７】
＜階段の構築手順＞
第１の実施形態と同様にして、構築した立体トラス構造体１０にブラケット４５が下ワッシャ４６ａと上ワッシャ４６ｂとを用いて取り付けられる。
また、取付に際して踏板１２は、予めブラケット４５に取り付けておく。この取付けにあたっては、踏板１２の裏面にブラケット４５の上面４８を合わせるとともに、取付鍔部２５の螺子孔２７を介して螺子２８で踏板１２を取り付ければよい（図１９参照）。
【００７８】
また、ブラケット４５の取付にあたって、まず、第１の実施形態と同様に、ハブ２Ａの下面側から通しボルトＢ１をボルト挿通孔２ｂに挿通する。そして、ハブ２Ａの上面側から突き出た通しボルトＢ１に、下ワッシャ４６ａを底面４９側から取り付け、次いでブラケット４５を下面４７側から取り付け、さらに上ワッシャ４６ｂを斜面５０側から取り付ける（図１９参照）。このとき下ワッシャ４６ａ及び上ワッシャ４６ｂは、この傾斜面４９で互いに向き合うとともに、傾斜面４９間でブラケット４５の取付面、すなわちブラケット４５の下面４７を形成する部分は、両ワッシャ４６ａ，４６ｂで挟み込まれる。これにより、図１９に示すように、踏板１２が水平になり、ボルトＢ１に螺合させたナットＮを締め付けることにより、立体トラス構造体１０に踏板１２は水平に固定される。最後に、第１の実施形態と同様に、踏板１２の側端を壁面Ｗに取り付けられた受材（図示せず）に固定するとともに、踏板１２のもう一方の側端に手摺１５を取り付けて、階段の構築は完了する。
【００７９】
この階段によれば上ワッシャ４６ｂの底面４９（下面）と、下ワッシャ４６ａの傾斜面５０（上面）が階段勾配方向に対して傾斜することによりブラケット４５の上面４８を水平にしたので、上ワッシャ４６ｂと下ワッシャ４６ａの組み合わせを代えるだけで、様々な階段勾配に対応することができる。
なお、以上、詳述した本発明の実施形態では、立体トラス構造体１０を中央桁とした階段を例にとって説明したが、本発明の階段はこれに限定されず、例えばＨ鋼を側桁として使用した階段であってもよい。
【００８０】
【発明の効果】
本発明に係る階段によると、桁に踏板を簡単に取り付けることができるとともに、階段勾配の変化に容易に対応することができる。
【図面の簡単な説明】
【図１】本発明に係る階段の全体を示す斜視図である。
【図２】同じく正面図である。
【図３】同じく側面図である。
【図４】図３の拡大側面図である。
【図５】本発明に係る階段の分解斜視図である。
【図６】（ａ）は図３のＸ１−Ｘ１矢視図、（ｂ）は（ａ）のＸ２−Ｘ２矢視図である。
【図７】（ａ）はフレーム材及び連結材を示す斜視図、（ｂ）は同じく平面図、（ｃ）はラチス材を示す斜視図、（ｄ）は同じく平面図である。
【図８】節点部材（ハブ）を説明する斜視図である。
【図９】同じく平面図である。
【図１０】（ａ）（ｂ）（ｃ）はサポートシューの側面図である。
【図１１】踏板取付部材の構造を示す断面図である。
【図１２】図１１に示す踏板取付部材を構成する下ブラケットの構造を示す部分斜視図であり、図１２（ａ）は、下ブラケットの下面の様子を示す図、図１２（ｂ）は、下ブラケットの上面の様子を示す図である。
【図１３】踏板取付部材を構成する上ブラケットの構造を示す部分斜視図である。
【図１４】本発明に係る階段に使用される踏板取付部材の構造を示す断面図である。
【図１５】図１４に示す踏板取付部材を構成する下ブラケットの構造を示す部分斜視図である。
【図１６】図１４に示す踏板取付部材を構成する上ブラケットの構造を示す部分斜視図である。
【図１７】図１７は、本発明に係る階段に使用される踏板取付部材を示す断面図である。
【図１８】図１７に示す踏板取付部材を構成する上ブラケットの構造を示す部分斜視図である。
【図１９】図１９は、本発明に係る階段に使用される踏板取付部材の構造を示す断面図である。
【図２０】図１９に示す踏板取付部材を構成するブラケットの構造を示す部分斜視図である。
【図２１】図２１（ａ）は、踏板取付部材を構成する上ワッシャ及び下ワッシャの構造を示す斜視図、図２１（ｂ）は同じく断面図である。
【図２２】従来の階段の構造を示す断面図である。
【符号の説明】
１      フレーム材
２Ａ、２Ｂ      節点部材としてのハブ
２ａ      連結溝
１０      桁としての立体トラス構造体
１１ａ，３１ａ      下ブラケット
１１ｂ，３１ｂ      上ブラケット
１２      踏板
１８      第一係止部
２４      第二係止部
２５      取付鍔部
４６ｂ      上ワッシャ
４６ａ      下ワッシャ
【図１】
2004169271.tif 000003
【図２】
2004169271.tif 000004
【図３】
2004169271.tif 000005
【図４】
2004169271.tif 000006
【図５】
2004169271.tif 000007
【図６】
2004169271.tif 000008
【図７】
2004169271.tif 000009
【図８】
2004169271.tif 000010
【図９】
2004169271.tif 000011
【図１０】
2004169271.tif 000012
【図１１】
2004169271.tif 000013
【図１２】
2004169271.tif 000014
【図１３】
2004169271.tif 000015
【図１４】
2004169271.tif 000016
【図１５】
2004169271.tif 000017
【図１６】
2004169271.tif 000018
【図１７】
2004169271.tif 000019
【図１８】
2004169271.tif 000020
【図１９】
2004169271.tif 000021
【図２０】
2004169271.tif 000022
【図２１】
2004169271.tif 000023
【図２２】
2004169271.tif 000024
【手続補正書】
【提出日】平成14年11月22日(2002.11.22)
【手続補正１】
【補正対象書類名】明細書
【補正対象項目名】０００７
【補正方法】変更
【補正の内容】
【０００７】
【課題を解決するための手段】
このような課題を解決するために、請求項１に係る発明は、階段勾配で傾斜する桁と、この桁の傾斜上面に取り付けられた下ブラケットと、この下ブラケットの上面に取り付けられた上ブラケットと、この上ブラケットの水平上面に取り付けられた踏板と、を備える、ことを特徴とする階段である。


【手続補正２】
【補正対象書類名】明細書
【補正対象項目名】０００８
【補正方法】変更
【補正の内容】
【０００８】
かかる階段は、下ブラケット及び上ブラケットの二部材を介して踏板を桁で支持するものである。最初にともに上下反転させた状態で踏板に上ブラケットを取り付け、一方で桁に下ブラケットを取り付けておき、最後に上ブラケットの下面を、桁の傾斜上面に取り付けられた下ブラケットの上面に取り付けることにより、桁に対して簡単に踏板を取り付けることができる。また、踏板に上ブラケットを取り付けるボルトや、下ブラケットに上ブラケットを取り付けるボルトを上から螺入することができるので、楽な姿勢で作業できる。